(57)【特許請求の範囲】
【請求項１】
下部構造体の上部に設けられる小屋組架構によって複数の垂木部材を傾斜状に支持して寄棟屋根又は切妻屋根の骨組みを形成する屋根架構構造であって、
前記小屋組架構は、
水平状に設けられる母屋梁と、
前記下部構造体から立ち上がって前記母屋梁を水平状に支持する複数の束と、
前記母屋梁又は前記束から水平状に突出し、先端部では前記下部構造体から立ち上がる部材により支持されていない持出梁と、を備え、
前記束の前記下部構造体からの突出高さは、前記垂木部材の上端部によって形成される棟高さ以下の高さに設定され、
前記持出梁は前記垂木部材を支持する、屋根架構構造。
【請求項２】
前記束は、前記母屋梁の下端部を支持し、
前記母屋梁は、前記束によって支持される部位から持ち出し状に突出する持出部を有する、請求項１に記載の屋根架構構造。
【請求項３】
互に隣接する前記持出梁の先端部同士が連結、又は、前記持出梁の先端部と前記母屋梁の途中部とが連結される、請求項１又は２に記載の屋根架構構造。
【請求項４】
互に隣接する前記持出部の先端部同士が連結、前記持出部の先端部と前記母屋梁の途中部とが連結、又は、前記持出梁の先端部と前記持出部の先端部とが連結される、請求項２に記載の屋根架構構造。
【発明の詳細な説明】
【技術分野】
【０００１】
本発明は、屋根架構構造に関する。
【背景技術】
【０００２】
従来、寄棟形式の屋根として、下部構造体と、下部構造体から立ち上がる母屋パネルとに垂木部材を複数架け渡し、垂木部材に屋根パネルを架設する構成が知られている。このような架構を有する屋根が、例えば特許文献１に記載されている。
【先行技術文献】
【特許文献】
【０００３】
【特許文献１】特開２００２−２１２４７号公報
【発明の概要】
【発明が解決しようとする課題】
【０００４】
ここで、本技術分野においては、空間を有効利用するため、垂木部材の下方側の空間を広く確保することが求められている。
【０００５】
そこで、本発明は、垂木部材の下方側の空間を広く確保することが可能な屋根架構構造を提供することを目的とする。
【課題を解決するための手段】
【０００６】
本発明の一側面に係る屋根架構構造は、下部構造体の上部に設けられる小屋組架構によって複数の垂木部材を傾斜状に支持して寄棟屋根又は切妻屋根の骨組みを形成する屋根架構構造であって、小屋組架構は、水平状に設けられる母屋梁と、下部構造体から立ち上がって母屋梁を水平状に支持する複数の束と、母屋梁又は束から水平状に突出する持出梁と、を備え、束の下部構造体からの突出高さは、垂木部材の上端部によって形成される棟高さ以下の高さに設定され、垂木部材の下部は、下部構造体に支持され、垂木部材の途中部は、母屋梁又は持出梁に支持され、垂木部材は、垂木部材の上部が母屋梁又は持出梁から斜め上方に片持ち状に突出する状態で下部構造体と、母屋梁又は持出梁とに架設される。
【０００７】
この屋根架構構造において、各垂木部材は、下端部が下部構造体に支持され、途中部が小屋組架構の母屋梁又は持出梁に支持される。このように、垂木部材の下端部と途中部とが下部構造体と小屋組架構とにそれぞれ支持されるので、垂木部材の上端部を強固に固定する必要が無い。このため、垂木部材の上端部を支持する棟梁や棟梁を受ける束柱等の構造部材を不要とすることができる。
【０００８】
また、母屋梁を束で支持する構成であるため、母屋梁の途中部の直下（母屋梁を支持する束と束との間の直下）に当該母屋梁を支持する構造部材を設ける必要が無い。これにより、母屋梁の下方側の空間であって平面視で母屋梁を挟んで両側に位置する空間の一体性を高めることができる。
【０００９】
また、持出梁によって垂木部材を支持することにより、束の本数を増やすことなく、持出梁によって垂木部材を支持することが可能となる。以上のように、この屋根架構構造では、垂木部材の下方側の空間を広く確保することが可能となる。
【００１０】
束は、母屋梁の下端部を支持し、母屋梁は、束によって支持される部位から持ち出し状に突出する持出部を有していてもよい。この場合には、持出部によって垂木部材を支持することができる。これにより、束の本数を増やすことなく、持出部によって垂木部材を支持することが可能となり、架構が過大となることを抑制することができる。
【００１１】
互に隣接する持出梁の先端部同士が連結、互に隣接する持出部の先端部同士が連結、持出梁の先端部と母屋梁の途中部とが連結、持出部の先端部と母屋梁の途中部とが連結、又は、持出梁の先端部と持出部の先端部とが連結されていてもよい。この場合には、持出梁同士の連結部の下方側の空間、持出部同士の連結部の下方側の空間、持出梁又は持出部と母屋梁の途中部との連結部の下方側の空間、又は、持出梁と持出部との連結部の下方側の空間に束等が設けられていないので、連結部の下方側の空間の一体性を高めることができる。また、小屋裏空間の階下の空間と小屋裏空間とをつなぐ吹抜けを、これらの連結部の下方側に設けることができる。
【発明の効果】
【００１２】
本発明の一側面によれば、垂木部材の下方側の空間を広く確保することが可能となる。
【図面の簡単な説明】
【００１３】
【図１】一実施形態に係る建物の屋根の形状を示す平面図である。
【図２】図１の屋根架構構造を示す斜視図である。
【図３】図１の屋根架構構造を示す斜視図であり、垂木部材を省略した図である。
【図４】図３のIV-IV線に沿った断面図である。
【図５】垂木受部材を示す図であり、（ａ）は正面図、（ｂ）は側面図である。
【図６】隅木と垂木部材との連結状態を示す図であり、（ａ）は隅木を示す図であり、（ｂ）は隅木と垂木部材との連結状態を示す一部破断図である。
【図７】持出梁周りにおける母屋梁の支持構造を示す図であり、（ａ）は正面図、（ｂ）は側面図である。
【図８】持出部周りにおける母屋梁の支持構造を示す正面図である。
【図９】角部における母屋梁の支持構造を示す図であり、（ａ）は水平方向から見た図、（ｂ）は上方方向から見た図である。
【発明を実施するための形態】
【００１４】
以下、本発明を適用した建物の一実施形態について図面を参照しながら説明する。なお、図面の説明において同一の要素には同一の符号を付し、重複する説明を省略する。
【００１５】
図１に示すように、本実施形態に係る建物１は、上方から見たときに屋根２が（水平方向に延在する棟が）Ｌ字状に折れ曲がる寄棟屋根構造となっている。本実施形態では、架構の配置説明を容易にするため、図１の方位記号が示す通り、上方向を北側として説明する。図２及び図３においても、各図の方位記号が示す通り、左斜め上方向を北側として説明する。図１に示すように、Ｌ字状に折れ曲がる屋根２において、最も長い第一棟２ａが東西方向に沿って延在し、第一棟２ａよりも短い第２棟２ｂが南北方向に沿って延在しているものとする。
【００１６】
建物１の屋根架構構造の詳細について、図２及び図３を用いて説明する。図２及び図３に示すように、建物１は、下部構造体３と、下部構造体３の上部に設けられる小屋組架構４と、小屋組架構４によって支持される屋根２とを有する。図２及び図３では、下部構造体３を太線で描き、小屋組架構４の束Ｔ１等を太線で描き、小屋組架構４の母屋梁Ｍ１等を太い一点鎖線で描き、屋根２を構成する垂木部材２１等を下部構造体３よりも細い線で描いている。
【００１７】
まず、下部構造体３について説明する。図２及び図３では、下部構造体３の最上部の梁のみを示している。下部構造体３は、基礎から立ち上がる複数本の柱部材と、隣り合う柱部材間に架設される複数本の梁とを備える鉄骨造となっている。特に下部構造体３の上部には、南北方向に延在する、第１梁Ｂ１、第２梁Ｂ２、第３梁Ｂ３及び第４梁Ｂ４と、東西方向に延在する第１１梁Ｂ１１、第１２梁Ｂ１２及び第１３梁Ｂ１３とが設けられている。
【００１８】
第１梁Ｂ１と第２梁Ｂ２とは長さが互いに等しい。第３梁Ｂ３と第４梁Ｂ４とは互いに長さが等しい。第３梁Ｂ３及び第４梁Ｂ４は、第１梁Ｂ１及び第２梁Ｂ２よりも長さが長い。第１梁Ｂ１〜第４梁Ｂ４は、西側から東側に向かってこの並び順で配置されている。第１梁Ｂ１〜第４梁Ｂ４の北側の端部は、第１３梁Ｂ１３に連結されている。なお、第１梁Ｂ１の北側の端部は第１３梁Ｂ１３の西側の端部に連結されている。第４梁Ｂ４の北側の端部は、第１３梁Ｂ１３の東側の端部に連結されている。
【００１９】
第１２梁Ｂ１２と第１３梁Ｂ１３とは互いに長さが等しい。第１１梁Ｂ１１は、第１２梁Ｂ１２よりも長さが短い。第１２梁Ｂ１２の西側の端部は、第１梁Ｂ１の南側の端部に連結されている。第１２梁Ｂ１２の途中部は、第２梁Ｂ２の南側の端部に連結されている。第１２梁Ｂ１２の東側の端部は、第４梁Ｂ４の途中部に連結されている。第１２梁Ｂ１２と第３梁Ｂ３とは、平面視において互いに直交している。第１１梁Ｂ１１の両端部は、第３梁Ｂ３及び第４梁Ｂ４の南側の端部にそれぞれ連結されている。
【００２０】
南北方向において第１１梁Ｂ１１と第１２梁Ｂ１２との間には、第３梁Ｂ３と第４梁Ｂ４とに連結された第１４梁Ｂ１４が設けられている。南北方向において第１２梁Ｂ１２と第１３梁Ｂ１３との間には、第３梁Ｂ３と第４梁Ｂ４とに連結された第１５梁Ｂ１５が設けられている。南北方向において第１５梁Ｂ１５と第１３梁Ｂ１３との間には、第３梁Ｂ３と第４梁Ｂ４とに連結された第１７梁Ｂ１７が設けられている。南北方向において第１２梁Ｂ１２と第１３梁Ｂ１３との間には、第１梁Ｂ１と第３梁Ｂ３とに連結された第１６梁Ｂ１６が設けられている。なお、第１６梁Ｂ１６と第２梁Ｂ２とは、平面視において互いに直交している。南北方向において第１６梁Ｂ１６と第１３梁Ｂ１３との間には、第１梁Ｂ１と第２梁Ｂ２とに連結された第１８梁Ｂ１８が設けられている。
【００２１】
東西方向において第２梁Ｂ２と第３梁Ｂ３との間には、第１２梁Ｂ１２と第１６梁Ｂ１６とに連結された第５梁Ｂ５が設けられている。東西方向において第２梁Ｂ２と第３梁Ｂ３との間には、第１６梁Ｂ１６と第１３梁Ｂ１３とに連結された第６梁Ｂ６が設けられている。東西方向において第３梁Ｂ３と第４梁Ｂ４との間には、第１７梁Ｂ１７と第１３梁Ｂ１３とに連結された第７梁Ｂ７が設けられている。
【００２２】
第１梁Ｂ１〜第７梁Ｂ７、及び、第１１梁Ｂ１１〜第１８梁Ｂ１８は、同一水平面内に設けられている。下部構造体３を構成する各梁として、一例としてＨ形鋼を用いている。第１梁Ｂ１〜第７梁Ｂ７、及び、第１１梁Ｂ１１〜第１８梁Ｂ１８が、上部に設置される小屋組架構４及び屋根２からの荷重を受ける。なお、以下では、下部構造体３の最上部の外周縁を形成する梁を「下部構造梁Ｂ」という。即ち、下部構造梁Ｂは、第１梁Ｂ１と、第１２梁Ｂ１２の一部と、第３梁Ｂ３の一部と、第１１梁Ｂ１１と、第４梁Ｂ４と、第１３梁Ｂ１３とによって構成されている。
【００２３】
次に、小屋組架構４について説明する。図２及び図３に示すように、小屋組架構４は、下部構造体３によって支持された束Ｔ１〜束Ｔ１２と、束Ｔ１〜束Ｔ１２によって支持された母屋梁Ｍ１〜母屋梁Ｍ６と、持出梁Ｍ１０とによって構成されている。束Ｔ１〜束Ｔ１２として、一例として円筒状の鋼管を用いている。母屋梁Ｍ１〜母屋梁Ｍ６、及び持出梁Ｍ１０として、一例として断面略Ｃ字状に形成された長尺の鋼材を用いている。
【００２４】
より詳細には、束Ｔ１は、第２梁Ｂ２上における第１２梁Ｂ１２と第１６梁Ｂ１６との間に立設されている。束Ｔ２は、第５梁Ｂ５上に立設されている。束Ｔ３及び束Ｔ４は、第１４梁Ｂ１４上において西側から東側に向かって順に立設されている。束Ｔ５及び束Ｔ６は、第１５梁Ｂ１５上において西側から東側に向かって順に立設されている。束Ｔ７は、第１７梁Ｂ１７と第７梁Ｂ７との接続部上に立設されている。束Ｔ８は、第７梁Ｂ７上に立設されている。束Ｔ９は、第６梁Ｂ６上に立設されている。束Ｔ１０は、第１８梁Ｂ１８と第２梁Ｂ２との接続部上に立設されている。束Ｔ１１は、第１８梁Ｂ１８上に立設されている。束Ｔ１２は、第１６梁Ｂ１６上における第１梁Ｂ１と第２梁Ｂ２との間に立設されている。束Ｔ１〜束Ｔ１２における下部構造体３の最上部からの突出高さは、垂木部材２１の上端部によって形成される棟高さ以下の高さに設定されている。
【００２５】
母屋梁Ｍ１、母屋梁Ｍ３及び母屋梁Ｍ５は、東西方向に沿って延在し、互いに平行に配置されている。母屋梁Ｍ２、母屋梁Ｍ４及び母屋梁Ｍ６は、南北方向に沿って延在し、互いに平行に配置されている。母屋梁Ｍ１の西側の端部は束Ｔ１によって支持され、母屋梁Ｍ１の東側の部は束Ｔ５によって支持されている。母屋梁Ｍ１の途中部は、束Ｔ２によって支持されている。母屋梁Ｍ２の北側の端部は束Ｔ５によって支持され、母屋梁Ｍ２の南側の端部は束Ｔ３によって支持されている。母屋梁Ｍ３の西側の端部は束Ｔ３によって支持され、母屋梁Ｍ３の東側の端部は束Ｔ４によって支持されている。母屋梁Ｍ４の南側の端部は束Ｔ４によって支持され、母屋梁Ｍ４の北側の端部は束Ｔ８によって支持されている。母屋梁Ｍ４の途中部は、束Ｔ６及び束Ｔ７によって支持されている。
【００２６】
母屋梁Ｍ５の東側の端部は束Ｔ８によって支持され、母屋梁Ｍ５の西側の端部は束Ｔ１１によって支持されている。母屋梁Ｍ５の途中部は、束Ｔ９及び束Ｔ１０によって支持されている。母屋梁Ｍ６の北側の端部は束Ｔ１１によって支持され、母屋梁Ｍ６の途中部は束Ｔ１２によって支持されている。母屋梁Ｍ６の南側の端部は、束Ｔ１２よりも南側に水平方向に持ち出し状に突出している（図８参照）。以下、母屋梁Ｍ６において、束Ｔ１２から南側に突出した部位を「持出部Ｍ６ａ」という。持出部Ｍ６ａの詳細については後述する。持出梁Ｍ１０の西側の端部は母屋梁Ｍ６の南側の端部（持出部Ｍ６ａの先端部）に連結され、持出梁Ｍ１０の東側の端部は束Ｔ１によって支持されている。
【００２７】
以上の構成により、母屋梁Ｍ１〜母屋梁Ｍ６及び持出梁Ｍ１０が屋根２の形状に沿って環状に連結される。母屋梁Ｍ１〜母屋梁Ｍ６及び持出梁Ｍ１０は、束Ｔ１〜Ｔ１２によって水平状に支持されている。束Ｔ１〜束Ｔ１２が母屋梁Ｍ１〜母屋梁Ｍ６及び持出梁Ｍ１０を支持することにより、下部構造体３の上部の第１梁Ｂ１等よりも所定高さ高い位置に母屋梁Ｍ１〜母屋梁Ｍ６及び持出梁Ｍ１０が配置される。なお、以下では、母屋梁Ｍ１〜母屋梁Ｍ６及び持出梁Ｍ１０を総称して「母屋梁Ｍ」ともいう。
【００２８】
次に、屋根２について説明する。図２及び図３に示すように、屋根２は、複数の垂木部材２１と、複数の隅木２２と、２つの棟継部材２３と、１つの谷木２４と、複数枚の野地板２５（図４参照）とを含んで構成されている。隅木２２は、屋根が山状に屈曲する部位に配置されている。谷木２４は、屋根が谷状に屈曲する部位に配置されている。２つの棟継部材２３は、それぞれ第一棟２ａ及び第２棟２ｂに対応する位置に配置されている。
【００２９】
垂木部材２１は、屋根パネルを設置する際の下地となる部材である。垂木部材２１の下端部近傍（下部）は下部構造梁Ｂによって支持され、垂木部材２１の途中部は母屋梁Ｍによって支持されている。垂木部材２１は、垂木部材２１の上部が母屋梁Ｍから斜め上方に片持ち状に突出する状態で下部構造梁Ｂ及び母屋梁Ｍによって支持されている。垂木部材２１の上端部は、棟継部材２３又は隅木２２に連結されている。
【００３０】
なお、垂木部材２１を配置した際に母屋梁Ｍと交差しない垂木部材２１については、下部近傍が下部構造梁Ｂによって支持され、上端部が隅木２２に固定される。また、屋根が谷状に屈曲する部位においては、垂木部材２１の下部近傍が下部構造梁Ｂと交差しない。このような垂木部材２１については、下端部が谷木２４に固定され、上端部が隅木２２又は棟継部材２３に固定され、途中部が下部構造梁Ｂに支持されている。
【００３１】
垂木部材２１の支持構造について、詳細に説明する。図４に示すように、束Ｔ１等によって支持された母屋梁Ｍ１の上部には、垂木部材２１を受ける垂木受部材Ｋ１が取り付けられている。母屋梁Ｍ１に取り付けられた垂木受部材Ｋ１の上端部には、ボルト及びナットを用いて垂木部材２１の途中部が連結される。下部構造体３の第１２梁Ｂ１２の上部には敷桁Ｃが固定され、敷桁Ｃの上部に垂木部材２１を受ける垂木受部材Ｋ１が取り付けられている。敷桁Ｃに取り付けられた垂木受部材Ｋ１の上端部には、ボルト及びナットを用いて垂木部材２１の下端部近傍の部位が連結される。ここで、敷桁Ｃは、下部構造梁Ｂに沿って、即ち下部構造体３の最上部の外周縁に沿って下部構造梁Ｂの上部に設けられている。
【００３２】
母屋梁Ｍ１の上部に取り付けられた垂木受部材Ｋ１と垂木部材２１との連結位置は、敷桁Ｃの上部に取り付けられた垂木受部材Ｋ１と垂木部材２１との連結位置よりも高さが高い。これにより、第１２梁Ｂ１２及び母屋梁Ｍ１によって、垂木部材２１が傾斜状に支持される。
【００３３】
図５（ａ）及び図５（ｂ）に示すように垂木受部材Ｋ１は、例えば鋼板を折り曲げることによって形成され、立上部Ｋ１ａ及びベース部Ｋ１ｂを有している。ベース部Ｋ１ｂは、母屋梁Ｍ１の上面又は敷桁Ｃの上面に当接される。ベース部Ｋ１ｂには、母屋梁Ｍ１又は敷桁Ｃと連結する際に用いるボルトが通されるボルト孔Ｋ１ｄが設けられている。立上部Ｋ１ａは、ベース部Ｋ１ｂの側部から立ち上がっている。立上部Ｋ１ａには、垂木部材２１と連結する際に用いるボルトが通されるボルト孔Ｋ１ｃが設けられている。
【００３４】
図４に示すように、第１２梁Ｂ１２及び母屋梁Ｍ１によって支持された垂木部材２１の上端部が第一棟２ａとなる位置である場合、当該垂木部材２１の上端部と、第一棟２ａを挟んで対向する位置の垂木部材２１の上端部とが、垂木連結部材Ｋ２によって連結される。図２及び図４に示すように、第一棟２ａに沿って並ぶ複数の垂木連結部材Ｋ２は、棟継部材２３によって互いに連結されている。
【００３５】
一方、第１２梁Ｂ１２及び母屋梁Ｍ１によって支持された垂木部材２１の上端部が隅木２２に対応する位置である場合、当該垂木部材２１の上端部と、隅木２２とが連結される。ここで、隅木２２は、図６（ａ）に示すように、断面略Ｃ字状に形成された長尺の２本の鋼材２２ａによって構成されている。２つの鋼材２２ａは、開放側が外側を向くように互いに連結されている。図６（ｂ）に示すように、垂木部材２１の上端は、隅木２２における鋼材２２ａの窪み内（断面略Ｃ字状の内側）に差し込まれる。垂木部材２１の上端と隅木２２とは、略く字状に折り曲げられた連結部材２６を介して連結される。垂木部材２１と連結部材２６との連結、及び、隅木２２と連結部材２６との連結は、ボルト及びナットを用いて互いに連結される。
【００３６】
なお、第１梁Ｂ１等の他の下部構造梁Ｂ及び母屋梁Ｍ６等の母屋梁Ｍが垂木部材２１を支持する構成は、図４を用いて説明した、第１２梁Ｂ１２及び母屋梁Ｍ１が垂木受部材Ｋ１を用いて垂木部材２１を支持する場合と同様の構成となっている。また、第１２梁Ｂ１２及び母屋梁Ｍ１によって支持された垂木部材２１以外の垂木部材２１の端部を、隅木２２及び谷木２４に連結する場合についても、図６（ｂ）を用いて説明した場合と同様に連結することができる。なお、谷木２４は、隅木２２と同様の構成となっている。
【００３７】
ここで、母屋梁Ｍと下部構造梁Ｂとに架設される垂木部材２１は、野地板２５を配置するために設けられているものである。このため垂木部材２１は、小屋組架構４の構造的要素として寄与するものではない。また、棟継部材２３、下部構造梁Ｂ及び母屋梁Ｍ以外に、隣接する垂木部材２１同士を連結する横材等は設けられていない。対向する垂木部材２１の上端部同士を連結する垂木連結部材Ｋ２、及び、垂木連結部材Ｋ２同士を連結する棟継部材２３は、位置を固定等するための補助材としての機能を有するが、構造的に寄与するものではない。このため、垂木連結部材Ｋ２及び棟継部材２３の部材の断面積は小さいものとなっている。
【００３８】
次に、束Ｔ１が持出梁Ｍ１０及び母屋梁Ｍ１を支持する構成について説明する。図７（ａ）及び図７（ｂ）に示すように、束Ｔ１の上端部には、梁連結部材５０が溶接等によって取り付けられている。梁連結部材５０は、本体部５１と、リブ５２とを有している。本体部５１は、断面略Ｃ字状に形成されている。リブ５２は、本体部５１における略Ｃ字状の内側に配置され、本体部５１を補強する機能を有している。本体部５１は、束Ｔ１の上部位置から持出梁Ｍ１０側に突出する連結端部５１ａと、母屋梁Ｍ１側に突出する連結端部５１ｂとを有している。
【００３９】
本体部５１の連結端部５１ａは、持出梁Ｍ１０における断面略Ｃ字状の内側に差し込まれている。連結端部５１ａと持出梁Ｍ１０とは、ボルト及びナットを用いて互いに連結される。持出梁Ｍ１０は、梁連結部材５０から水平状に突出している。また、本体部５１の連結端部５１ｂは、母屋梁Ｍ１における断面略Ｃ字状の内側に差し込まれている。連結端部５１ｂと母屋梁Ｍ１とは、ボルト及びナットを用いて互いに連結される。
【００４０】
次に、束Ｔ１２が母屋梁Ｍ６を支持する構成について説明する。図８に示すように、束Ｔ１２の上端部には、フランジＴ１２ａが取り付けられている。母屋梁Ｍ６は、束Ｔ１２のフランジＴ１２ａに載置される。母屋梁Ｍ６の下面とフランジＴ１２ａとは、ボルト及びナットを用いて互いに連結される。なお、フランジＴ１２ａには、母屋梁Ｍ６の途中部が載置されている。これにより、母屋梁Ｍ６の南側の端部は束Ｔ１２よりも南側に水平方向に持ち出し状に突出し、母屋梁Ｍ６に持出部Ｍ６ａが形成されている。
【００４１】
次に、持出部Ｍ６ａの先端部と持出梁Ｍ１０との接続について説明する。図３、図７（ａ）及び図８に示すように、持出部Ｍ６ａの南側の先端部と、持出梁Ｍ１０の西側の先端部とは、梁連結部材５５を介して互いに連結されている。梁連結部材５５は、略Ｌ字状に折り曲げられた鋼板である。梁連結部材５５と持出部Ｍ６ａとは、ボルト及びナットを用いて互いに連結されている。梁連結部材５５と持出梁Ｍ１０とは、ボルト及びナットを用いて互いに連結されている。梁連結部材５５を用いて持出部Ｍ６ａと持出梁Ｍ１０とを連結することにより、持出部Ｍ６ａと持出梁Ｍ１０との連結部の直下に束等を設ける必要が無い。
【００４２】
次に、束Ｔ１１が母屋梁Ｍ５及び母屋梁Ｍ６を支持する構成について説明する。図９（ａ）及び図９（ｂ）に示すように、束Ｔ１１の上端部近傍には、母屋梁Ｍ６側（南側）に向けて突出する連結片Ｔ１１ａと、母屋梁Ｍ５側（東側）に向けて突出する連結片Ｔ１１ｂとが設けられている。連結片Ｔ１１ａ及び連結片Ｔ１１ｂは、断面略Ｃ字状に形成されている。連結片Ｔ１１ａは、母屋梁Ｍ６の断面略Ｃ字状の内側に配置されている。連結片Ｔ１１ａと母屋梁Ｍ６とは、ボルト及びナットを用いて互いに連結されている。連結片Ｔ１１ｂは、母屋梁Ｍ５の断面略Ｃ字状の内側に配置されている。連結片Ｔ１１ｂと母屋梁Ｍ５とは、ボルト及びナットを用いて互いに連結されている。
【００４３】
なお、束Ｔ１、束Ｔ１２及び束Ｔ１１が母屋梁Ｍ１等の母屋梁Ｍを支持する構成について説明したが、他の束についても図７（ａ）、図８、図９を用いて説明した構成と同様の構成によって母屋梁Ｍを支持している。
【００４４】
次に、平面視で母屋梁Ｍを見た場合の配置構成について説明する。図１に示すように、母屋梁Ｍを平面視で見た場合、母屋梁Ｍを構成する各梁は、それぞれ、屋根２の第一棟２ａ及び第２棟２ｂによって形成される棟線Ｘ１と屋根２の軒線Ｘ２との間に位置している。また、母屋梁Ｍを構成する各梁は、それぞれ、当該梁を挟み込む棟線Ｘ１及び軒線Ｘ２の少なくともいずれか一方と平行となるように架設されている。
【００４５】
本実施形態は以上のように構成され、各垂木部材２１は、下端部が下部構造梁Ｂに支持され、途中部が母屋梁Ｍ１〜Ｍ６又は持出梁Ｍ１０に支持されている。このように、垂木部材２１の下端部と途中部とが下部構造梁Ｂと母屋梁Ｍとにそれぞれ支持されるので、垂木部材２１の上端部を強固に固定する必要が無い。このため、垂木部材２１の上端部同士を連結する棟梁を不要とすることができる。なお、垂木連結部材Ｋ２及び棟継部材２３は、構造的に寄与するものではなく、位置を固定等するための補助材であり、構造的に寄与する棟梁とは異なり部材の断面積は小さい。また、垂木部材２１の上端部を支持する束を設ける必要が無い。
【００４６】
また、母屋梁Ｍを束で支持する構成であるため、母屋梁Ｍの途中部の直下（束と束と間の直下）に母屋梁Ｍを支持する構造部材を設ける必要が無い。これにより、母屋梁Ｍの下方側の空間であって平面視で母屋梁Ｍを挟んで両側に位置する空間の一体性を高めることができる。また、平面視で母屋梁Ｍを挟んで一方の側から他方の側に向かって連続する勾配天井を形成することができる。
【００４７】
また、持出梁Ｍ１０によって垂木部材２１を支持することにより、束の本数を増やすことなく母屋梁Ｍによって垂木部材２１を支持することが可能となる。以上のように、この屋根架構構造では、垂木部材２１の下方側の空間を広く確保することが可能となる。
【００４８】
小屋組架構４は、束Ｔ１２によって支持される部位から持ち出し状に突出する持出部Ｍ６ａを有する母屋梁Ｍ６を備えている。これにより、持出部Ｍ６ａによって垂木部材２１を支持することができる。即ち、束の本数を増やすことなく、持出部Ｍ６ａによって垂木部材２１を支持することが可能となり、架構が過大となることを抑制することができる。
【００４９】
持出部Ｍ６ａの先端部と持出梁Ｍ１０とは梁連結部材５５によって連結され、連結部の下方側には束が設けられていない。このように、持出部Ｍ６ａと持出梁Ｍ１０との連結部の下方側の空間に束等が設けられていないので、連結部分の下方側の空間の一体性を高めることができる。また、小屋裏空間の階下の空間から小屋裏空間をつなぐ吹抜けを、持出部Ｍ６ａと持出梁Ｍ１０との連結部の下方側に設けることができる。
【００５０】
以上、本発明の一実施形態について説明したが、本発明は、上記実施形態に限定されるものではない。例えば、垂木部材２１の上端部が、対向する垂木部材２１の上端部又は隅木２２に連結されるものとしたが、例えば、垂木部材２１の上端部が外壁に対向している場合には、垂木部材２１の上端部と外壁とを連結してもよい。
【００５１】
母屋梁Ｍの西南の角部において、持出部Ｍ６ａに替えて束Ｔ１２に持出梁Ｍ１０と同様の持出梁を連結し、束Ｔ１２に連結された持出梁と束Ｔ１に連結された持出梁Ｍ１０とを梁連結部材５５を用いて連結してもよい。また、母屋梁ＭにＴ字状に連結される部位がある場合、持出梁Ｍ１０のような持出梁、又は、持出部Ｍ６ａのような持出部を母屋梁の途中部に連結してもよい。この場合にも、持出梁又は持出部と母屋梁の途中部との連結部の下方側に束等を設ける必要が無く、連結部の下方側の空間の一体性を高めることができる。
【００５２】
持出梁Ｍ１０は、図７（ａ）に示すように、母屋梁Ｍ１から梁連結部材５０を介して水平状に突出するものとしたが、束Ｔ１から水平状に持出梁Ｍ１０を突出させてもよい。また、実施形態に係る建物１の屋根２は、寄棟屋根としたが、切妻屋根であっても上記の屋根架構構造を適用することができる。
【００５３】
母屋梁Ｍは環状に連結されているものとしたが、例えば、環状の母屋梁Ｍから持出梁Ｍ１０のような持出梁、又は、持出部Ｍ６ａのような持出部が突出していてもよい。また、母屋梁Ｍは環状に連結されていなくてもよい。
【符号の説明】
【００５４】
１…建物、２…屋根、３…下部構造体、４…小屋組架構、２１…垂木部材、Ｂ…下部構造梁、Ｍ，Ｍ１〜Ｍ６…母屋梁、Ｍ６ａ…持出部、Ｍ１０…持出梁、Ｔ１〜Ｔ１２…束。
【図１】
0006423197.tif 000002
【図２】
0006423197.tif 000003
【図３】
0006423197.tif 000004
【図４】
0006423197.tif 000005
【図５】
0006423197.tif 000006
【図６】
0006423197.tif 000007
【図７】
0006423197.tif 000008
【図８】
0006423197.tif 000009
【図９】
0006423197.tif 000010